(57)【特許請求の範囲】
【請求項１】
ディスプレイ装置の画面上を走査線方向に移動する画像の画像信号を発生する信号発生手段と、
前記画像信号のタイミングに応じて前記移動する画像を検出する画像センサと、
当該画像信号発生を制御するとともに、前記画面上の前記移動する画像を前記画像センサに静止画として入力するように制御する制御手段と、
前記画像センサを用いて前記静止画に応じた画像データを出力するデータ出力手段と
を備えたことを特徴とするディスプレイの動特性測定用データ取得装置。
【請求項２】
請求項１において、
前記制御手段は、
前記画面に対向して配置されており、前記画面と略並行で前記画面上の走査線方向と略直行する方向の回転軸に軸支された反射手段と、
前記回転軸を回転中心として前記反射手段を回転させ、前記反射手段により反射した前記移動する画像を前記画像センサに入力させる駆動手段と、
前記画像信号に同期して前記駆動手段を制御して前記反射手段の回転を制御する回転制御手段と
を備えたことを特徴とするディスプレイの動特性測定用データ取得装置。
【請求項３】
請求項２において、
前記回転制御手段は、前記反射手段を前記移動する画像の前記画面上の移動速度に応じて連続的に、または、前記画像信号の所定期間毎に前記移動する画像の前記画面上の移動速度に応じた回転角ずつ前記反射手段をステップ状に回転させるように前記駆動手段を制御することを特徴とするディスプレイの動特性測定用データ取得装置。
【請求項４】
請求項１ないし３のいずれかにおいて、
前記画像センサは、前記反射手段の回転面の面方向と略同一方向に画素配列されていることを特徴とするディスプレイの動特性測定用データ取得装置。
【請求項５】
請求項１ないし４のいずれかに記載のディスプレイの動特性測定用データ取得装置と、
前記ディスプレイの動特性測定用データ取得装置から出力される前記画像データを入力し、前記画像データに基づいた演算を行って前記ディスプレイ装置の動特性を算出する演算手段と
を備えたことを特徴とする動特性測定装置。
【発明の詳細な説明】
【０００１】
【発明の属する技術分野】
本発明はディスプレイの動特性測定用データ取得装置および動特性測定装置に関し、特に、画面上の動きを伴う画像信号に対してディスプレイの物理特性の定量的測定を可能とするデータを得るためのディスプレイの動特性測定用データ取得装置および当該データ取得装置を用いた動特性測定装置に関する。
【０００２】
【従来の技術】
従来、ディスプレイの主流は短残光のＣＲＴであった。ＣＲＴディスプレイでは偽輪郭が問題とされることはなかったため、偽輪郭を定量化するためのディスプレイの動特性測定用データ取得装置はなかった。したがって、測定装置による偽輪郭の定量的測定は不可能であった。
【０００３】
また、ディスプレイの静止解像度の定量的測定を行う装置はいくつか提案され実用化されている。例えば、本出願人による特開平７−１６８５４３号公報記載の装置（発明の名称「ディスプレイの解像度測定装置」）が実用化されている。
【０００４】
動解像度測定については、画面上を移動する解像度チャートや移動するＣＺＰ（Ｃｉｒｃｕｌａｒ  Ｚｏｎｅ  Ｐｌａｔｅ）信号などをディスプレイに入力し、目視で表示画像を評価するなどの方法が従来は用いられている。しかし、ディスプレイの動特性測定用データ取得装置がなかったために、測定装置による動解像度の定量的測定は行えなかった。
【０００５】
【発明が解決しようとする課題】
前述の通り、従来のディスプレイの主流は短残光のＣＲＴであったため、ＣＲＴディスプレイでは偽輪郭が問題とされることはなかった。また、特殊な例を除けば動解像度が問題とされることもなかった。
【０００６】
しかし近年、ＣＲＴ以外の各種表示デバイス（液晶ディスプレイ、ＰＤＰ（ｐｌａｓｍａ  ｄｉｓｐｌａｙ  ｐａｎｅｌ）、ＤＭＤ（ｄｉｇｉｔａｌ  ｍｉｃｒｏｍｉｒｒｏｒ  ｄｅｖｉｃｅ））が出現し、その性能評価のために動特性を測定することが要求されている。例えば、高コントラストで大型化可能なＰＤＰはサブ・フィールドを用いて中間調を表示しているため、動画を表示すると処理によっては偽輪郭を発生すると言われている。しかし、これまではディスプレイの動特性測定用データ取得装置がなかったため、偽輪郭の定量的測定は行えなかった。
【０００７】
また、例えば液晶ディスプレイは応答速度が遅いため動画を表示すると解像度が劣化すると言われているが、これまではディスプレイの動特性測定用データ取得装置がなかったために動解像度の定量的測定は行えなかった。
【０００８】
そこで本発明は、このようなディスプレイに動画を表示するときの動特性、具体的には偽輪郭および解像度特性（動解像度）を測定できるようにするためのディスプレイの動特性測定用データ取得装置および当該データ取得装置を用いた動特性測定装置を提供することを目的とする。
【０００９】
【課題を解決するための手段】
上記の課題を解決するために請求項１の発明は、ディスプレイ装置の画面上を走査線方向に移動する画像の画像信号を発生する信号発生手段と、前記画像信号のタイミングに応じて前記移動する画像を検出する画像センサと、当該画像信号発生を制御するとともに前記画面上の前記移動する画像を前記画像センサに静止画として入力するように制御する制御手段と、前記画像センサを用いて前記静止画に応じた画像データを出力するデータ出力手段とを備えたディスプレイの動特性測定用データ取得装置を提供する。
【００１０】
また、請求項２の発明は、請求項１において、前記制御手段は、前記画面に対向して配置されており、前記画面と略並行で前記画面上の走査線方向と略直交する方向の回転軸に軸支された反射手段と、前記回転軸を回転中心として前記反射手段を回転させ前記反射手段により反射した前記移動する画像を前記画像センサに入力させる駆動手段と、前記画像信号に同期して前記駆動手段を制御して前記反射手段の回転を制御する回転制御手段とを備えたディスプレイの動特性測定用データ取得装置を提供する。
【００１１】
また、請求項３の発明は、請求項２において、前記回転制御手段は、前記反射手段を前記移動する画像の前記画面上の移動速度に応じて連続的に、または、前記画像信号の所定期間毎に前記移動する画像の前記画面上の移動速度に応じた回転角ずつ前記反射手段をステップ状に回転させるように前記駆動手段を制御するディスプレイの動特性測定用データ取得装置を提供する。
【００１２】
また、請求項４の発明は、請求項１ないし３のいずれかにおいて、前記画像センサは、前記反射手段の回転面の面方向と略同一方向に画素配列されたディスプレイの動特性測定用データ取得装置を提供する。
【００１３】
また、請求項５の発明は、請求項１ないし４のいずれかに記載のディスプレイの動特性測定用データ取得装置と、前記ディスプレイの動特性測定用データ取得装置から出力される前記画像データを入力し、前記画像データに基づいた演算を行って前記ディスプレイ装置の動特性を算出する演算手段とを備えた動特性測定装置を提供する。
【００１４】
【発明の実施の形態】
以下、図面を参照して本発明の実施形態を詳細に説明する。
【００１５】
（実施形態１）
偽輪郭の定量的測定を実現する、本発明に係るディスプレイの動特性測定用データ取得装置および当該装置を用いた動特性測定装置の実施形態１の構成を図１に示す。
【００１６】
２はＤＵＴ（Ｄｅｖｉｃｅ  Ｕｎｄｅｒ  Ｔｅｓｔ）となるディスプレイを示し、１で示す画像信号発生器と３〜５の各要素によりディスプレイの動特性測定用データ取得装置を構成し、当該データ取得装置に６で示す制御装置兼演算装置を組み合わせて動特性測定装置を構成することができる。
【００１７】
画像信号発生器１が発生する画像信号ａが被測定用のディスプレイ２に入力されている。ディスプレイ２の正面には回転鏡３とそれを回転させるための駆動装置４が位置する。回転鏡３は、その回転軸１３がディスプレイ画面２ａの略中央部と対向し、さらに、ディスプレイ画面２ａと平行な平面内で走査線方向と略直交する向きに位置する。
【００１８】
制御装置兼演算装置６（以下、制御装置６と略記）は、画像制御信号ｂを生成して画像信号発生器１の出力制御を行い、回転制御信号ｃを生成して回転鏡３の回転制御を行う。制御装置６は、ＣＰＵ，ＲＯＭ，ＲＡＭ，ＨＤＤ等の補助記憶装置を備えた一般的な構成のワーク・ステーションまたはパーソナル・コンピュータ等（以下、コンピュータと略記）により実現できる。
【００１９】
ディスプレイ２で表示された画像からの光は回転制御される回転鏡３で反射された後、画像検出装置５に入力される。この入力光は画像検出装置５で電気的な画像信号に変換され、さらに所定レベルにクランプされ所定ゲインとされ、そしてＡ／Ｄ変換されて動特性測定用データｄとして出力される。画像検出装置５の内部構成については後述する。
【００２０】
図１は、取得した動特性測定用データｄを制御装置と演算装置を兼用するコンピュータ（制御装置６）に入力して偽輪郭の定量測定を行うための一構成例を示している。この動特性測定用データｄを、コンピュータ以外の別の演算装置に入力して偽輪郭の定量測定を行う構成としてもよい。
【００２１】
図示した構成の全体動作について、以下に説明する。
【００２２】
画像信号発生器１は、図２に示すようなディスプレイ画面２ａ上を移動する画像の信号を出力する。図２は輝度の値が走査線方向（水平方向）に正弦波状に変化する画像信号（以下、正弦波）による画像２０を模式的に示すもので、画像２０は、実際には濃淡の異なる各部分において水平方向（移動方向）に連続的に明るさが変化している。２１が示す部分では中心が最も明るく、その両側はしだいに暗くなっている。２２が示す部分では中心が最も暗く、その両側はしだいに明るくなっている。他の部分では、いずれか一方向に明るさが変化している。
【００２３】
偽輪郭の定量的測定を実現する実施形態１に係るディスプレイの動特性測定用データ取得装置の理解を容易にするために、ここでは、ディスプレイ２は後述するサブ・フィールド法によるディスプレイではなく、ディスプレイ画面２ａで画像が一定速度で連続的に移動しているものとして説明を進める。
【００２４】
正弦波３０は、１フィールド毎に例えば図３（ａ）→（ｂ）→（ｃ）の様に移動しており、画面上の所定位置（図では１点Ｐのみを表示）に対応する信号レベルは増減を繰り返して変化している。
【００２５】
ディスプレイ２に表示された画像２０を動特性測定データｄとして取得するタイミングを合わせるために、画像信号発生器１が出力する画像信号ａが含む垂直同期信号ｅが、画像信号発生器１から画像検出装置５に入力されている。
【００２６】
駆動装置４には、画像信号ａに同期して回転鏡３を回転させるための回転制御信号ｃが制御装置６から入力され、これにより、回転鏡３を介して画像検出装置５に入力されるディスプレイ２に表示された正弦波（画像２０）の位相が、画像検出装置５のライン方向の所定位置（例えば中央位置）において常に同位相となるように回転鏡３を回転制御する。このときの回転鏡３の動作については後に詳述する。
【００２７】
回転制御にあたっては、正弦波３０の移動速度に応じて回転鏡３の平均回転速度を変化させる必要がある。この様な回転制御は、制御装置６からの回転制御信号ｃで回転鏡３の回転速度を制御して、以下の通り行うことができる。
【００２８】
制御装置６は、画像信号発生器１に画像制御信号ｂを送ることで正弦波３０の周波数や移動速度を変化させるとともに、それと同期して回転鏡３の駆動装置４へ送る回転制御信号ｃの位相を変化させ、回転鏡３の回転速度を制御する。
【００２９】
その際、正弦波３０の移動速度が一定でも、その回転鏡３に反射される部分が画面中央から左右にずれるに従って、正弦波３０を追随するための回転鏡３の回転角は原理的に小さくなる。このため、ディスプレイ画面２ａと回転軸１３との距離を長く設置できない場合には、追随する正弦波の画面中央からのズレ量とディスプレイ画面２ａと回転軸１３の距離に応じて回転鏡３の角速度を制御して、追随する正弦波３０の位相が画像検出装置５のライン方向の所定位置（例えば中央位置）において常に同位相となるように回転鏡３を回転制御する必要がある。
【００３０】
また、このような回転制御が必要な場合は、回転鏡３に反射される正弦波部分が画面中央から左右にずれるに従い画像２０に幾何学歪が発生する。このため、ディスプレイ画面２ａと回転軸１３との距離をできるだけ長く設置し、平均角速度が一定とみなせて幾何学歪も無視できる範囲で測定用データを取得し、測定することが望ましい。
【００３１】
画像検出装置５は後述するリニア・イメージ・センサを含んでおり、図４に示す画像信号（動特性測定用データ）ｄを検出、出力することができる。ここで、リニア・イメージ・センサのライン方向（つまり、画素配列方向）が、回転鏡３で反射されるディスプレイ画面２ａの走査線方向と一致していることが望ましい。つまり、回転鏡３の回転面の面方向とライン方向が一致することが望ましい。
【００３２】
従って、角速度が一定とみなせて幾何学歪も無視できるような範囲では、ディスプレイ画面２ａ上の移動する正弦波（画像２０）を回転鏡３の回転によって追随することで、画像検出装置５は正弦波画像信号３０を静止画像として検出することができる。すなわち画像検出装置５は、リニア・イメージ・センサのライン方向の所定位置に対しては図示の通り常に一定強度の入力光を連続して蓄積し、その画像信号ｄを出力することができる。
【００３３】
次に、本実施形態に係る装置による偽輪郭検出動作について、偽輪郭の発生が問題となるＰＤＰをＤＵＴとする場合を例に説明する。
【００３４】
装置による検出動作説明の前に、ディスプレイで偽輪郭が生じる理由について説明する。
【００３５】
図５は、サブ・フィールドを持つことにより中間調を表示するディスプレイ（例えばＰＤＰ）の中間調表示原理を説明するサブ・フィールド説明図である。
【００３６】
図５は、ある画素の表示例を示すが、当該ディスプレイは画面全体にわたって同様の原理で、同一タイミングで動作する。画像を８ビットで２５６階調表示する場合は、１フィールド期間Ｔが８つのサブ・フィールドＳＴ１〜ＳＴ８に分割されており、各サブ・フィールド期間の長さは２倍ずつの関係になっている。例えば、ＳＴ２はＳＴ１の２倍、ＳＴ３はＳＴ２の２倍である。実際には、偽輪郭を避けるために図示のものよりも複雑な構成であるが、原理的には、図示のサブ・フィールド構成について説明しても同様に説明できる。
【００３７】
このサブ・フィールド構成で、表示する画素のレベルが例えば７１（２進法表記では“０１０００１１１”）のときは、各サブ・フィールドのうちＳＴ２，ＳＴ６，ＳＴ７，ＳＴ８でＰＤＰの放電がなされ、他のサブ・フィールドＳＴ１，ＳＴ３，ＳＴ４，ＳＴ５では放電がなされないことにより全体での放電期間を変え、これにより所望の明るさを生じる。
【００３８】
本実施形態ではディスプレイ２は上記表示原理に従ったディスプレイとし、当該ディスプレイに図２および図３を参照して説明した様な画像信号を入力した場合を想定する。
【００３９】
偽輪郭を検出するためには、様々な振幅成分を持ち、なだらかな形状の正弦波やランプ波形（３角波）を用いることが望ましい。ここでは正弦波を用いる例について説明する。用いる正弦波はゆっくりライン方向に移動しており、０〜白ピークまでの振幅を持つとする（図３（ａ）〜（ｃ）参照）。
【００４０】
ここで、１フィールド期間全体の明るさについてではなく、図６に示すように、サブ・フィールドＳＴ７までの期間による明るさとサブ・フィールドＳＴ８による明るさに分けて考える。
【００４１】
図６（ａ）はあるフィールド期間におけるサブ・フィールドＳＴ１〜ＳＴ７による表示の明るさ、図６（ｂ）は同一フィールド期間におけるサブ・フィールドＳＴ８による表示の明るさを示す。同様に、図６（ｃ）は次のフィールド期間におけるサブ・フィールドＳＴ１〜ＳＴ７による表示の明るさ、図６（ｄ）は同一フィールド期間におけるサブ・フィールドＳＴ８による表示の明るさを示す。上記２フィールド期間で画像位置が動いている。
【００４２】
これら表示の明るさは、時間的には図６（ａ）〜（ｄ）の順に推移するため、人間の目では残像効果によって図６（ａ）と図６（ｂ）を組み合わせた画像を認識するだけでなく、別の２フィールド期間に跨った図６（ｂ）と図６（ｃ）を組み合わせた画像を認識することもある。この画像は図６（ｅ）の明るさの画像５０になる。画像５０のうち、矢印で示した部分５１，５２は元の画像には無かったもので、画像自体が画面上で動くことにより生じた偽輪郭である。
【００４３】
人間の目を画面上の正弦波の動きに合わせて連続的に動かした場合も、上記と同様の原理で網膜上に偽輪郭が生じる。
【００４４】
本実施形態に係る装置を用いて、図７のように時間当たり一定の回転角で、回転鏡３を連続的に回転させる回転制御を行うことにより、人間の目の動きと同様にリニア・イメージ・センサを等価的に一定速度で動かすことになる。この等価的移動によって、リニア・イメージ・センサは画面上を移動する正弦波を静止した正弦波としてではなく、人間が知覚するのと同様な動画像に生じる偽輪郭を含む静止波形（正弦波とも図６（ｅ）に図示の波形とも異なる静止波形）として捉えることができる。
【００４５】
そして、リニア・イメージ・センサにより正弦波（図２の画像２０）を連続的に追随して画像信号を出力し、この出力を動特性測定用データｄとして制御装置６で演算処理を行って、自動的に偽輪郭の定量測定を行うことができる。
【００４６】
コンピュータによる偽輪郭の定量化処理の手法として、例えば、画像検出装置５からの動特性測定用データ（画像信号）ｄをフーリエ変換し、基本波Ｆ０とそれ以外の高調波成分Ｆｎに分け、基本波成分Ｆ０と高調波成分Ｆｎとのレベル比で行うこと、偽輪郭部分と本来の信号部分とのパワー比で表現すること等が考えられる。本実施形態に係る装置では、回転鏡３を回転制御して偽輪郭を含む静止波形として捉えることで動特性測定用データｄを取得できるので、制御装置６によって、この他にも種々の偽輪郭の定量化処理を簡単に行うことができる。
【００４７】
なお、図１のように制御装置６としてコンピュータを用いた場合には制御機能と演算機能の双方をコンピュータに遂行させることが可能で、画像信号発生器１の出力信号の制御や回転鏡３の回転速度制御とともに、画像検出装置５の出力信号を被測定対象とする偽輪郭の定量測定も併せて同一コンピュータ内で行うことができる。
【００４８】
（実施形態２）
次に、動解像度の定量的測定を実現する、本発明に係るディスプレイの動特性測定用データ取得装置および当該装置を用いた動特性測定装置の実施形態２について説明する。
【００４９】
本実施形態では、測定対象のディスプレイ２を１フィールド期間にわたって画像を連続表示する液晶ディスプレイとし、当該ディスプレイに図２および図３を参照して説明した様な画像信号を入力した場合を想定する。連続表示される画像に対しては、実施形態１の様に回転鏡３を連続的に回転制御すると（図７参照）画像検出装置５は静止画像として歪のない正弦波を捉えることができず、動解像度を正しく測定することができない。
【００５０】
そこで、ディスプレイ２（液晶ディスプレイ）の動解像度測定時には、図８（ａ）のようにステップ状に回転鏡３を回転制御する。ここで、例えば１フィールド期間Ｔ１（Ｔ２，Ｔ３，…）と次のフィールド期間Ｔ２（Ｔ３，Ｔ４，…）の間に一定の回転角Δθで回転するように静止と回転を繰り返すよう、概ね離散的に回転制御がなされる。この回転角Δθは正弦波の移動速度で決まるもので、詳しくは後述する。このため、正弦波の移動速度の変化に応じて回転角Δθを変える様に制御装置６が駆動装置４を制御する。
【００５１】
液晶ディスプレイの動解像度測定には図８（ａ）のような連続的ではないステップ状の回転角変化が必要であるが、“概ね離散的”と記述した通り瞬間的変化の必要はない。液晶の低応答速度のため、ディスプレイ２の表示は画像信号ａが変化してから数ｍｓｅｃ程度の時間で徐々に変化するので、ディスプレイ２の表示が変化している間の１ｍｓｅｃ程度以内に回転鏡３が回転角Δθだけ回転すれば、回転に要する時間が測定精度に影響することはない。この程度の応答性で回転制御を行うことは現時点で周知技術である。
【００５２】
なお、画像検出装置５は、ゲートをかけて回転鏡３が静止している間に画像を取り込む。
【００５３】
また、図８（ａ）に示した回転角の変化には図８（ｂ）に示す信号レベル変化が対応する。図８（ｂ）は画像信号ａが含む垂直同期信号ｅを示しており、垂直同期信号ｅと回転鏡３の回転タイミングに時間差Δｔを設定する必要がある。この時間差設定は、制御装置６が駆動装置４に送出する回転制御信号ｃの位相を調整することによって実現することができる。
【００５４】
時間差Δｔを設定する理由は、例えばディスプレイ画面２ａの垂直方向の中央ラインＣＬを測定する場合、垂直同期信号ｅの開始から約０．５フィールド期間だけ遅れてディスプレイ画面２ａ上の画像が変化するためである。
【００５５】
次に、図９を参照して本実施形態における回転鏡３の回転動作について説明する。
【００５６】
図８（ａ）の例えばＴ１で示されたフィールド期間に、ディスプレイ２は図９（ａ）に示す画像９０を表示する。画像検出装置５が画像９０を検出すると、図９（ｂ）に示す正弦波信号９ｄを出力する。画像９０の明るさは画像２０と同様に変化するが、図では画像２０と同様に表現されている。
【００５７】
次に、１フィールド期間経過したフィールド期間Ｔ２になると、ディスプレイ２上の画像９０は図９（ｃ）で示す位置に移動する。このとき、ディスプレイ２から回転鏡３を介して画像検出装置５に入力される画像９０による正弦波信号９ｄの位相がフィールド期間Ｔ１とＴ２で変わらないように、制御装置６が図１０に示す通りに駆動装置４を制御して回転鏡３を回転制御する。
【００５８】
図１０において、画像９０を正弦波で表す。図１０（ａ）から図１０（ｂ）への画像９０の移動は、図９（ａ）から図９（ｃ）への移動に対応する。８はリニア・イメージ・センサをライン方向に示したもので、リニア・イメージ・センサ８は前述の通り画像検出装置５に含まれる。
【００５９】
回転鏡３が回転角Δθだけ回転した時のリニア・イメージ・センサ８上の例えば位置Ｐ１，Ｐ２，Ｐ３における正弦波信号９ｄの位相（図１０（ｂ）参照）は、回転前に検出された正弦波信号９ｄの各位置Ｐ１，Ｐ２，Ｐ３における位相（図１０（ａ）参照）と一致する。この様に、１フィールド毎に移動速度に応じた回転角ずつステップ状に回転鏡３を回転させる制御を行うことで、フィールド期間Ｔ２に得られる正弦波信号９ｄの位相を図９（ｄ）に示した通り補償することができる。
【００６０】
前述したように、厳密には回転鏡３の回転により画像検出装置５は等価的に斜めからディスプレイ２の画面を写すことになるため、正面から写すときと比較すると検出画像に幾何学歪が発生する。しかし、本実施形態では図８のようにステップ状に回転鏡３を回転制御するので、この幾何学歪は１フィールド・スパンで発生する。このため、発生する幾何学歪はＳ／Ｎ的にも問題なく、制御装置６の演算機能を用いて容易に補正でき、幾何学歪のない静止画像を捉えて動特性測定用のデータを取得でき、これにより動解像度の劣化を自動的に評価することができる。
【００６１】
なお、上記各実施形態で使用する画像検出装置５の動作の理解を助けるため、図１１に画像検出装置５の内部構成を示す。
【００６２】
画像検出装置５は、撮影用レンズ７、リニア・イメージ・センサ８、Ａ／Ｄ変換器９、タイミング信号発生部１０を備えている。ディスプレイ画面２ａ上の回転鏡３を介した画像は撮影用レンズ７によりリニア・イメージ・センサ８の撮像面に結像される。タイミング信号発生部１０は垂直同期信号ｅから画像読出しのタイミング信号ｆを生成し、タイミング信号ｆにしたがったタイミングでリニア・イメージ・センサ８からの読み出しとＡ／Ｄ変換器９によるＡ／Ｄ変換が行われて、動特性測定用データｄが出力される。
【００６３】
そして、例えば動特性測定用データであるリニア・イメージ・センサ８の出力信号ｄを取得して制御装置６に供給し、制御装置６の演算機能を用いて、表示した正弦波（画像）９０の移動速度や周波数をパラメータとして出力信号ｄ内の最大値と最小値の差を定量測定することで、ディスプレイ２の動解像度特性を評価することができる。
【００６４】
なお、図１のように制御装置６として演算機能を併せ持つコンピュータを用いた場合には、動解像度特性の定量測定についても、偽輪郭測定と同様に画像検出装置５が出力する正弦波の動特性測定用データｄの最大値と最小値から同一コンピュータ内で併せて行うことができる。
【００６５】
上記各実施形態はリニア・イメージ・センサを用いて本発明を実施した例であるが、リニア・イメージ・センサに代わり、エリア・イメージ・センサを備えたビデオ・カメラを用いて本発明を実施することもできる。エリア・イメージ・センサの画素配列方向は、いずれか一方がリニア・イメージ・センサのライン方向と一致する必要がある。装置の全体構成は図１とほぼ同様で、画像検出装置５をビデオ・カメラに置き換えるだけで実現できる。現在ではビデオ信号を直接入力できるパーソナル・コンピュータが容易に入手可能であり、この様な全体構成でも偽輪郭測定や動解像度測定を問題無く行うことができる。
【００６６】
【発明の効果】
以上説明した通り本発明に係るディスプレイの動特性測定用データ取得装置によれば、ディスプレイ装置の画面上を走査線方向に移動する画像の画像信号のタイミングに応じてその移動する画像を画像センサによって検出するに際し、制御手段の制御により静止画として入力されるように制御され、画像センサからは静止画に応じた画像データを出力するようにしてディスプレイの動特性測定用データを取得することができる効果がある。
【００６７】
本発明に係る動特性測定装置によれば、本発明に係るディスプレイの動特性測定用データ取得装置で取得した画像データに基づいた演算を行ってディスプレイ装置の動特性を算出するので、自動測定が可能となり、偽輪郭や動解像度の定量的な測定を自動的に行うことができる効果がある。
【図面の簡単な説明】
【図１】本発明に係るディスプレイの動特性測定用データ取得装置および当該装置を用いた動特性測定装置の実施形態１を示すブロック図である。
【図２】本発明に係る実施形態１における画像信号発生器が発生する正弦波画像信号によりディスプレイ画面上を移動する画像を説明する説明図である。
【図３】本発明に係る実施形態１における画像信号発生器が発生する正弦波画像信号を説明する説明図である。
【図４】本発明に係る実施形態１における画像検出装置（リニア・イメージ・センサ）が検出する画像信号を説明する説明図である。
【図５】本発明に係る実施形態１におけるＤＵＴとなるディスプレイの中間調表示原理を説明するためのサブ・フィールド説明図である。
【図６】本発明に係る実施形態１におけるＤＵＴとなるディスプレイにおける偽輪郭の発生原因を説明する説明図である。
【図７】本発明に係る実施形態１における偽輪郭測定時の回転鏡の回転制御について説明する説明図である。
【図８】本発明に係るディスプレイの動特性測定用データ取得装置および当該装置を用いた動特性測定装置の実施形態２における動解像度測定時の回転鏡の回転制御について説明する説明図である。
【図９】本発明に係る実施形態２における動解像度測定時の回転鏡の回転制御により得られる動特性測定用データについて説明する説明図である。
【図１０】本発明に係る実施形態２における動解像度測定時の回転鏡の回転制御を詳細に説明する説明図である。
【図１１】本発明に係る実施形態１および２における画像検出装置の内部構成を示すブロック図である。
【符号の説明】
１  画像信号発生器
２  ディスプレイ
２ａ  ディスプレイ画面
３  回転鏡
４  駆動装置
５  画像検出装置
６  制御装置（制御装置兼演算装置）
７  撮影用レンズ
８  リニア・イメージ・センサ
９  Ａ／Ｄ変換器
１０  タイミング信号発生部
【図１】
0003630024.tif 000002
【図２】
0003630024.tif 000003
【図３】
0003630024.tif 000004
【図４】
0003630024.tif 000005
【図５】
0003630024.tif 000006
【図６】
0003630024.tif 000007
【図７】
0003630024.tif 000008
【図８】
0003630024.tif 000009
【図９】
0003630024.tif 000010
【図１０】
0003630024.tif 000011
【図１１】
0003630024.tif 000012